(57)【要約】【目的】本発明は、扉の閉鎖状態を所定の力で維持するヒンジに関するもので、簡単な構造で、扉の閉鎖状態を確実に維持し、閉鎖間際において、閉鎖運動にブレーキ作用が働くことにより、扉の急激な閉鎖による衝撃を緩和する事が出来るヒンジを提供する事を目的とする。【構成】固定片と回動片より構成されるヒンジにおいて、固定片は嵌合段部が形成された案内面を有し、前記回動片は、閉鎖用巻きバネと、扉の閉鎖時、前記嵌合段部に嵌合し閉鎖用巻きバネの弾性力によって扉の閉鎖状態を維持するローラーよりなるものである。【選択図】    図１
2004190359.tif 000002
【特許請求の範囲】
【請求項１】
前面を開口したキャビネット等の本体に取付けられる固定片と、扉の基端側に取付けられる回動片とにより構成されるヒンジにおいて、固定片は、連結孔を介してキャビネット本体側に連結される固定側連結片と、固定側連結片に連設されて、枢軸を介して回動片を回動自在に支持する固定側支持片よりなり、固定側支持片は、キャビネット本体の内側に突出し、枢軸とは反対側の端部に嵌合段部が形成された案内面を有し、前記回動片は、扉側連結孔を介して扉の基端部に取付けられる回動側連結片と、回動側連結片に連設されて、枢軸を介して固定側支持片と回動自在に連結される回動側支持片と、回動側連結片に連設されて、前記嵌合段部と連係する閉鎖用部材が取付けられる閉鎖用部材取付部を有し、閉鎖用部材は、閉鎖用部材取付部に設けられた閉鎖用巻きバネと、扉の閉鎖時、前記嵌合段部に嵌合し閉鎖用巻きバネの弾性力によって扉の閉鎖状態を維持するローラーよりなることを特徴とするヒンジ。
【請求項２】
閉鎖用巻きバネは、閉鎖用部材取付部に設けられた保持軸に巻き部が外嵌し、枢軸とは反対側の端部が回動側連結片の内面に当接し、枢軸側の端部は、屈折部を介し回動側連結片の内面に当接して閉鎖用部材取付部に保持されており、ローラーは屈折部に回転自在に取付けられ、扉の閉鎖方向への回動時、巻きバネの弾性に抗して前記案内面に沿って回転し、扉の閉鎖時、前記嵌合段部に嵌合して、閉鎖用巻きバネの弾性力によって扉の閉鎖状態を維持することを特徴とする請求項１に記載のヒンジ。
【発明の詳細な説明】
【０００１】
【発明の属する技術分野】
本発明は、扉の閉鎖状態を所定の力で維持するヒンジに関するものである。
【０００２】
【従来の技術】
従来、上記ヒンジとして、おのおのその一端を取付部としてL字形に屈折した長方形の雄雌二葉の鋼片の基端部を上下に台座を有するピンで開閉自在に要締し、それぞれの末端部に相互にくい込む長方形の張り出し突起を突設して雄型蝶番を台座付きピンで扉上部に固定して、該蝶番の残余部を遊離して弾性をもたせた２葉の蝶番の張り出し突起部がバネ圧によって相互に完全に嵌設離脱するようにしたものが公知である。（例えば特許文献１参照。）
【０００３】
上記構成によると、張り出し突起は、蝶番の残余部の弾性で相互にくい込む構成となっているため、開閉操作を繰り返すうち、張り出し突起の磨耗、および残余部の弾性の劣化によって、相互のくい込み状態が甘くなり、初期の目的が達成出来なくなる問題があった。
【０００４】
【特許文献１】
実開昭５０−１５０５２８号公報
【０００５】
【発明が解決しようとする課題】
本発明は、簡単な構造で、扉の閉鎖状態を確実に維持し、閉鎖間際において、閉鎖運動にブレーキ作用が働いて、扉の急激な閉鎖による衝撃を緩和することが出来るヒンジの提供を目的とする。
【０００６】
【課題を解決する為の手段】
上記課題を解決する為、本発明が手段とする第１の特徴は、前面を開口したキャビネット等の本体に取付けられる固定片と、扉の基端側と連結される回動片とにより構成されるヒンジにおいて、固定片は、連結孔を介してキャビネット本体側に連結される固定側連結片と、固定側連結片に連設されて、枢軸を介して回動片を回動自在に支持する固定側支持片よりなり、固定側支持片は、キャビネット本体の内側に突出し、枢軸とは反対側の端部に嵌合段部が形成された案内面を有し、前記回動片は、扉側連結孔を介して扉の基端部と連結される回動側連結片と、回動側連結片に連設されて、枢軸を介して固定側支持片と回動自在に連結される回動側支持片と、回動側連結片に連設されて、前記嵌合段部と連係する閉鎖用部材が取付けられる閉鎖用部材取付部を有し、閉鎖用部材は、閉鎖用部材取付部に設けられた閉鎖用巻きバネと、扉の閉鎖時、前記嵌合段部に嵌合し閉鎖用巻きバネの弾性力によって扉の閉鎖状態を維持するローラーよりなるものである。
【０００７】
次に、本発明が手段とする第２の特徴は、前記第１の特徴に加え、閉鎖用巻きバネは、閉鎖用部材取付部に設けられた保持軸に巻き部が外嵌し、枢軸とは反対側の端部が回動側連結片の内面に、枢軸側端部が屈折部を介し回動側連結片の内面に当接して閉鎖用部材取付部に保持されており、ローラーは屈折部に回転自在に取付けられ、回動片の扉の閉鎖方向への回動時、巻きバネの弾性に抗して前記案内面に沿って回転し、扉の閉鎖時、前記嵌合段部に嵌合して、閉鎖用巻きバネの弾性力によって扉の閉鎖状態を維持するものである。
【０００８】
【実施例】
以下、添付図面に基いて実施例を説明する。
図１において、符号１０は本発明のヒンジを示している。
ヒンジ１０は、前面を開口したキャビネット等の本体に取付けられる固定片１と、扉の基端側と連結される回動片２より構成されている。
【０００９】
固定片１は、縦長の連結孔１１、および円形の連結孔１２を介してキャビネット本体側に連結される固定側連結片１３と、固定側連結片１３の上下方向側の端部の一端を９０度折り曲げて連設され、枢軸１４を介して回動片２を回動自在に支持する固定側支持片１５より形成されている。
固定側支持片１５は、キャビネット等の本体外方に突出し、枢軸１４を保持する保持突部１５１と、キャビネット本体の内側に突出し、枢軸１４とは反対側の端部に位置して、保持突部１５１に連設された案内部１５２を有し、案内部１５２の突出側端面には、枢軸１４からの距離が順次大きくなる案内面１５３が形成され、枢軸１４から最も離れた案内面１５３の端部に、枢軸１４からの距離が短くなる嵌合段部１６が形成されている。
【００１０】
回動片２は、横長の扉側連結孔２１、２１および円形の扉側連結孔２２を介して扉の基端部と連結される回動側連結片２３と、回動側連結片２３の上下方向側の一端を９０度折り曲げて連設され、前記枢軸１４を介して固定側支持片１５と回動自在に連結される回動側支持片２４と、回動側連結片２３に連設されて、前記嵌合段部１６と連係する閉鎖用部材３が取付けられる閉鎖用部材取付部２５を有している。
【００１１】
閉鎖用部材３は、閉鎖用部材取付部２５に取付られる閉鎖用巻きバネ５と、扉の閉鎖時、前記嵌合段部１６に嵌合し閉鎖用巻きバネ５の弾性力によって扉の閉鎖状態を維持するローラー５１より構成されている。
閉鎖用巻きバネ５は、閉鎖用部材取付部２５に設けられた保持軸２５１に巻き部５２が外嵌し、枢軸１４とは反対側の端部が回動側連結片２３の内面に当接し、枢軸１４側の端部が屈折部５３を介し回動側連結片２３の内面に当接して閉鎖用部材取付部２５に保持されており、ローラー５１は屈折部５３に回転自在に取付けられ、周部端面に周溝５４を有し、扉の閉鎖方向への回動時、閉鎖用巻きバネ５の弾性に抗して前記案内面１５３に沿って回転しながら移動し、扉の閉鎖時、前記嵌合段部１６に嵌合して、閉鎖用巻きバネ５の弾性力によって扉の閉鎖状態を維持する。
【００１２】
【発明の効果】
特許請求の範囲の請求項１に記載の発明によれば、固定側支持片に案内面と嵌合段部を形成し、閉鎖用巻きバネに設けたローラーを、扉の閉鎖時、嵌合段部に嵌合する構成としているので、長期間に渡る使用で開閉操作が繰り返されても、蝶番部材の磨耗等の発生や弾性の劣化がなく、確実に扉の閉鎖状態を維持できる。
請求項２に記載の発明によれば、上記効果に加え、扉の閉鎖方向への回動時、ローラーは巻きバネの弾性に抗して前記案内面に沿って回転しながら移動するので、扉の閉鎖間際に、閉鎖運動にブレーキ作用が働き、扉の急激な閉鎖による衝撃を緩和することが出来る。
【図面の簡単な説明】
【図１】本発明のヒンジの斜視図
【図２】扉が閉鎖状態となったときのヒンジの平面図
【図３】扉が開放状態となったときのヒンジの平面図
【符号の説明】
１              固定片
１０            ヒンジ
１３            固定側連結片
１４            枢軸
１５            固定側支持片
１５３          案内面
１６            嵌合段部
２              回動片
２３            回動側連結片
２４            回動側支持片
２５            閉鎖用部材取付部
３              閉鎖用部材
５              閉鎖用巻きバネ
５１            ローラー
【図１】
2004190359.tif 000003
【図２】
2004190359.tif 000004
【図３】
2004190359.tif 000005